(57)【要約】【課題】密封性及び耐火性に優れ、かつ意匠性をも高めた建具用タイト材を提供すること。【解決手段】ドア１２とドア１２を包囲する枠２０とを備えた防火戸のタイト材１は、非熱膨張性耐火材から構成された先端部２と、先端部２より基端側の熱膨張性耐火材から構成された熱膨張性部分４と、防火戸のドア１２又は枠２０に取り付けられる非熱膨張性耐火材、膨張性耐火材、又は非熱膨張性耐火材と膨張性耐火材の両方から構成された基端部６とを備えている。【選択図】図３
2015135046.tif 000002
【特許請求の範囲】
【請求項１】
可動部材と該可動部材を包囲する枠とを備えた建具用のタイト材であって、
非熱膨張性耐火材から構成された先端部と、
前記先端部より基端側の熱膨張性耐火材から構成された熱膨張性部分と、
前記建具の前記可動部材又は前記枠に取り付けられる非熱膨張性耐火材、膨張性耐火材、又は非熱膨張性耐火材と膨張性耐火材の両方から構成された基端部と
を備えたタイト材。
【請求項２】
前記基端部が可動部材に取り付けられて、前記タイト材が、該可動部材と別の可動部材との間の開口部又は可動部材と枠との間の開口部に配置されるか、前記基端部が枠に取り付けられて、前記タイト材が、可動部材と枠との間の開口部に配置される請求項１に記載のタイト材。
【請求項３】
前記熱膨張性耐火材から構成された熱膨張性部分は、前記先端部に接続され、幅方向における長さが前記先端部の幅方向における長さ以下である第１部分と、前記第１部分から前記基端部に接続するように延びる第２部分とを備える請求項１又は２に記載のタイト材。
【請求項４】
前記基端部は前記熱膨張性耐火材から構成された熱膨張性部分の第２部分の長手方向における２つの位置からタイト材の幅方向の両側に延びる２対の延出部を備え、前記２対の延出部のうちの基端側の１対の延出部が前記建具の前記可動部材又は前記枠の溝に嵌合することにより前記可動部材又は前記枠に取り付けられる請求項１〜３のいずれか一項に記載のタイト材。
【請求項５】
前記非熱膨張性耐火材が、熱可塑性樹脂、熱硬化性樹脂、エラストマー、ゴム、又はこれらの組み合わせからなる請求項１に記載のタイト材。
【請求項６】
可動部材と該可動部材を包囲する枠とを備えた建具の密封及び防火構造であって、
可動部材と該可動部材を包囲する枠とを備えた建具と、
前記建具の前記可動部材又は前記枠に取り付けられた請求項１〜５のいずれか一項に記載のタイト材と
を備えた建具の密封及び防火構造。
【発明の詳細な説明】
【技術分野】
【０００１】
本発明は、建具の開口部又は間隙の密封及び防火に使用される建具用タイト材と、かかる建具用タイト材を設けた建具の密封及び防火構造とに関する。
【背景技術】
【０００２】
窓、障子、扉（すなわちドア）、戸、ふすま、及び欄間等の建具の枠と障子等の可動部との間、又は可動部同士の間の開口部又は間隙には、建具の気密性又は水密性を改善するためのタイト材やシール材等の気密材が設けられている。
【０００３】
建具における上記開口部又は間隙には、火災時に火が侵入することから、防火性能を高めることも課題となっている。特許文献１は、枠体と障子とを備えており、枠体及び障子を形成する枠材や框の樹脂サッシ用形材形成部の任意の箇所に、熱膨張耐火成分を含有する熱膨張耐火成分含有部を一体成形してあることを特徴とする樹脂製サッシについて記載している。特許文献２は、サッシの枠体や障子に取り付けられるサッシ用気密材において、サッシのホルダーに嵌合される基部と、基部からホルダー外に突出する突出部とを備えており、基部は、耐摩耗性や弾性を有する気密材成形樹脂からなり、突出部は、気密材成形樹脂に熱膨張耐火成分を含有したものからなり、基部と突出部は一体成形してあることを特徴とするサッシ用気密材について記載している。
【先行技術文献】
【特許文献】
【０００４】
【特許文献１】特開2012-202186
【特許文献２】特開2012-202190
【発明の概要】
【発明が解決しようとする課題】
【０００５】
しかしながら、特許文献１の樹脂製サッシでは、サッシそのものに熱膨張耐火成分を含有させているため、特別なサッシを製造しなければならず、汎用のサッシに簡便に耐火性を付与することができない。特許文献２はサッシ用気密材の先端部である突出部が熱膨張耐火成分を含有しており、先端部は開閉により外力がかかり摩耗する恐れがある。その場合、長期使用後、かかる先端部では気密性が損なわれ火災に対する性能を発揮できない。また、熱膨張耐火成分は灰黒をしており、かかる突出部が露出した状態で観察者に視認されると、見栄えが悪く意匠性を損ねる。
【０００６】
本発明の目的は、密封性及び耐火性に優れ、かつ意匠性をも高めた建具用タイト材と、かかる建具用タイト材を設けた建具の密封構造とを提供することにある。
【課題を解決するための手段】
【０００７】
本発明者らは、熱膨張材を、加熱に伴う熱膨張材の膨張を許容する被覆部材で覆うことで、上記の目的を達成できることを見出し、本発明を完成するに至った。
【０００８】
すなわち、本発明は以下の通りである。
［１］可動部材と該可動部材を包囲する枠とを備えた建具用のタイト材であって、
非熱膨張性耐火材から構成された先端部と、
前記先端部より基端側の熱膨張性耐火材から構成された熱膨張性部分と、
前記建具の前記可動部材又は前記枠に取り付けられる非熱膨張性耐火材、膨張性耐火材、又は非熱膨張性耐火材と膨張性耐火材の両方から構成された基端部と
を備えたタイト材。
［２］前記基端部が可動部材に取り付けられて、前記タイト材が、該可動部材と別の可動部材との間の開口部又は可動部材と枠との間の開口部に配置されるか、前記基端部が枠に取り付けられて、前記タイト材が、可動部材と枠との間の開口部に配置される項１に記載のタイト材。
［３］前記熱膨張性耐火材から構成された熱膨張性部分は、前記先端部に接続され、幅方向における長さが前記先端部の幅方向における長さ以下である第１部分と、前記第１部分から前記基端部に接続するように延びる第２部分とを備える項１又は２に記載のタイト材。
［４］前記基端部は前記熱膨張性耐火材から構成された熱膨張性部分の第２部分の長手方向における２つの位置からタイト材の幅方向の両側に延びる２対の延出部を備え、前記２対の延出部のうちの基端側の１対の延出部が前記建具の前記可動部材又は前記枠の溝に嵌合することにより前記可動部材又は前記枠に取り付けられる項１〜３のいずれか一項に記載のタイト材。
［５］前記非熱膨張性耐火材が、熱可塑性樹脂、熱硬化性樹脂、エラストマー、ゴム、又はこれらの組み合わせからなる項１に記載のタイト材。
［６］可動部材と該可動部材を包囲する枠とを備えた建具の密封及び防火構造であって、  可動部材と該可動部材を包囲する枠とを備えた建具と、
前記建具の前記可動部材又は前記枠に取り付けられた項１〜５のいずれか一項に記載のタイト材と
を備えた建具の密封及び防火構造。
【発明の効果】
【０００９】
本発明によれば、非熱膨張性耐火材から構成された先端部により建具における開口部又は間隙を気密及び／又は水密可能であると共に、熱膨張性耐火材から構成された熱膨張性部分により火災時には開口部又は間隙を閉塞でき、各々の性能が向上する。さらに、非熱膨張性耐火材としては種々の外観の熱可塑性樹脂、熱硬化性樹脂、エラストマー、ゴム、又はこれらの組み合わせを用いることができるため、意匠性も向上する。
【図面の簡単な説明】
【００１０】
【図１】本発明のタイト材の第１実施形態を示す縦断面図。
【図２】本発明における防火戸の例を示す略図。
【図３】図２の３−３線における要部縦断面図。
【図４】本発明のタイト材の別の実施形態を示す縦断面図。
【図５】本発明のタイト材の別の実施形態を示す縦断面図。
【図６】本発明のタイト材の別の実施形態を示す縦断面図。
【図７】本発明のタイト材の別の実施形態を示す縦断面図。
【図８】本発明のタイト材の別の実施形態を示す縦断面図。
【発明を実施するための形態】
【００１１】
以下、本発明の建具用タイト材と、かかる建具用タイト材を設けた建具の密封及び防火構造とを、図面を参照しながら説明する。本明細書において、「建具」には窓（引き違い窓、開き窓、上げ下げ窓等を含む）、障子、扉（すなわちドア）、戸、ふすま、及び欄間等が含まれる。「タイト材」とは、非熱膨張性耐火材から構成された先端部と、建具の前記可動部材又は前記枠に取り付けられる非熱膨張性耐火材から構成された基端部とを備え、先端部において、基端部が取り付けられた箇所とは異なる該建具の位置に接触し、先端部と基端部との間の建具における開口部又は間隙を密封状態に維持するためのものである。ここで「密封」とは１００％完全に密封されていなくとも、タイト材を設けない場合と比較して流体の侵入が有意に防止できればよいことを指す。また「間隙」とは開口部の中でも向かい合う２つの部材又は部分間に生じる開口部を指す。
【００１２】
図１を参照すると、本発明の建具用のタイト材１は、非熱膨張性耐火材から構成された先端部２と、先端部２より基端側の熱膨張性耐火材から構成された熱膨張性部分４と、非熱膨張性耐火材、膨張性耐火材、又は非熱膨張性耐火材と膨張性耐火材の両方から構成された基端部６とを備えている。基端部６が非熱膨張性耐火材と膨張性耐火材の両方から構成されている場合は、非熱膨張性耐火材と膨張性耐火材の２層が同じ大きさで積層されていてもよいし、膨張性耐火材層とその両側を挟む非熱膨張性耐火材層とから構成されてもよいし、膨張性耐火材を芯材として、膨張性耐火材が観察者に視認されないよう膨張性耐火材の周囲が非熱膨張性耐火材により包囲された構成でもよい。
タイト材１の寸法は特に限定されないが、例えばタイト材１の幅方向の長さＬ1は５ｍｍ〜５０ｍｍ、長手方向の長さＬ2は５ｍｍ〜５０ｍｍであり、幅方向及び長手方向と垂直な紙面垂直方向の長さは、タイト材１の基端部６が取り付けられる建具の取り付け部（特には溝）の長さに対応する種々の長さであってもよい。例えば８５０ｍｍ幅のドアの、幅方向に沿って延びる溝にタイト材１が取り付けられる場合、タイト材１の幅方向及び長手方向と垂直な紙面垂直方向の長さは８００ｍｍ〜８５０ｍｍ程度となる。
【００１３】
先端部２は断面の外形が略半円形であり、密封が必要な建具の位置に接触される頂点の先端２ａと、熱膨張性部分４と接続する基端２ｂとを有する。先端部２は本実施形態では中空であり、先端部２の内部に空間２ｃを備えることにより弾性が増大するため、建具、特には建具の可動部材が当接したときの衝撃が緩和され得る。また、先端部２を軽量化できる。先端部２を構成する非熱膨張性耐火材は、例えば、熱可塑性樹脂、熱硬化性樹脂、エラストマー、ゴム、又はこれらの組み合わせから構成され、熱可塑性樹脂の例としては、フッ素樹脂、ポリフェニレンエーテル、変性ポリフェニレンエーテル、ポリフェニレンスルフィド、ポリカーボネート、ポリエーテルイミド、ポリエーテルエーテルケトン、ポリアリレート、ポリアミド、ポリアミドイミド、ポリブタジエン、ポリイミド、アクリル樹脂、ポリアセタール、ポリアミド、ポリエチレン、ポリエチレンテレフタレート、ポリカーボネート、ポリエステル、ポリスチレン、ポリフェニレンサルファイド、ポリブチレンテレフタレート、ポリプロピレン、ポリ塩化ビニル、ABS樹脂、及びAS樹脂等が挙げられ、熱硬化性樹脂の例としてはエポキシ樹脂、フェノール樹脂、メラミン樹脂、尿素樹脂、不飽和ポリエステル樹脂、アルキド樹脂、ポリウレタン、熱硬化性ポリイミド等が挙げられ、エラストマーの例としてはオレフィン系エラストマー、スチレン系エラストマー、エステル系エラストマー、アミド系エラストマー、及び塩化ビニル系エラストマー等が挙げられ、ゴムの例の例としては、天然ゴム、シリコーンゴム、スチレン・ブタジエンゴム、イソプレンゴム、ブタジエンゴム、クロロプレンゴム、アクリロニトリル・ブタジエンゴム、ニトリルブタジエンゴム、ブチルゴム、エチレン・プロピレンゴム、エチレン・プロピレン・ジエンゴム、ウレタンゴム、シリコーンゴム、及びフッ素ゴム等が挙げられる。非熱膨張性耐火材は好ましくはエラストマー、ゴム、又はこれらの組み合わせから構成され、これにより先端部２に弾性が付与され、建具の密封性が増大する。
【００１４】
熱膨張性部分４は本実施形態ではＴ字形をなし、先端部２の基端２ｂに接続され、基端２ｂの幅方向の長さ（Ｌ1に等しい）とほぼ同じ幅方向の長さＬ3を有する第１部分４ａと、第１部分４ａの中心から垂直に基端部６に接続するように延びる第２部分４ｂとを備えている。第２部分４ｂの幅方向の長さＬ4は第１部分４ａの幅方向の長さＬ3よりも小さい。なお、第１部分４ａの幅方向の長さＬ3は基端２ｂの幅方向の長さよりも小さくてもよい。
【００１５】
図１の矢印の方向から見たとき、観察者には熱膨張性部分４が見えない。先端部２は化粧部材としても機能し、先端部２の外観は任意のものとしてよく、色や模様は目的に応じて決定し得る。例えば、先端部２をタイト材１が取り付けられる建具と同系色とし得る。例えば、アルミ製の枠にタイト材１が取り付けられる場合、先端部２の色もアルミ色とし得る。同系色とは、色の特性で表される３要素、すなわち色相、明度、彩度の内、色相が同一又は近いもののことを意味する。また、先端部２には木目調として視覚的に暖かみを演出する等、任意の模様を施して意匠性を付与することができる。このように、黒灰色の熱膨張材４を先端部２で被覆することにより意匠性を高めることが可能である。
【００１６】
熱膨張性部分４を構成する熱膨張材料は、膨張性黒鉛を混練した合成樹脂等の、加熱により膨張する材料である。熱膨張性材料を構成する樹脂は熱可塑性樹脂であっても熱硬化性樹脂であってもよい。熱膨張材料を構成する耐火性樹脂組成物は通常、熱可塑性樹脂又は熱硬化性樹脂と、熱膨張性黒鉛と、無機充填剤とを含み、これらの成分の割合は特に限定されないが、例えば熱可塑性樹脂又は熱硬化性樹脂１００重量部に対して熱膨張性黒鉛が１０〜３００重量部、無機充填剤が３０〜５００重量部である。このような熱膨張材料を構成する耐火性樹脂組成物は種々のものが公知であり、例えば熱可塑性樹脂に、リン化合物、中和処理された熱膨張性黒鉛、及び無機充填剤を含有し、それぞれの含有量が、前記熱可塑性樹脂１００重量部に対して、リン化合物と中和処理された熱膨張性黒鉛との合計量が２０〜２００重量部、無機充填剤が５０〜５００重量部であり、中和処理された熱膨張性黒鉛：リン化合物の重量比が、９：１〜１：１００であることを特徴とする耐火性樹脂組成物（特開平9-227716）；エポキシ樹脂１００重量部、中和処理された熱膨張性黒鉛１０〜３００重量部及び無機充填剤５０〜５００重量部からなることを特徴とする耐火性樹脂（特開2000-143941）；エポキシ樹脂１００重量部、中和処理された熱膨張性黒鉛１５〜１５０重量部及び無機充填剤３０〜５００重量部からなる厚み０．３〜６ｍｍのシート中に、１ｍ2 当たりの重量が２５〜２０００ｇの不燃性繊維状材料からなるネット又はマットが含浸されてなることを特徴とする耐火シート組成物（特開2002-12678）；非架橋ゴム及び／又は部分架橋ゴムからなるゴム成分（Ａ）に、熱膨張性無機物（特には、中和処理された熱膨張性黒鉛）（Ｂ）、無機充填材（Ｃ）及び平均分子量２０００〜４０００の液状樹脂（Ｄ）を配合してなることを特徴とする粘着性耐火性ゴム組成物（特開2003-192840）；ブチルゴムを主成分とする樹脂１００重量部に対して、リン化合物及び熱膨張性黒鉛の合計量が２０〜３００重量部、及び無機充填剤が３０〜５００重量部であることを特徴とする樹脂組成物；ポリ塩化ビニル系樹脂に熱膨張性黒鉛を含有させた耐火性樹脂組成物であって、配合比がポリ塩化ビニル系樹脂１００重量部に対して、熱膨張性黒鉛が１〜１０重量部である耐火性樹脂組成物（特開2008-180068）；塩素化塩化ビニル樹脂１００重量部、熱膨張性黒鉛３〜３００重量部、無機充填剤３〜２００重量部、及び可塑剤２０〜２００重量部からなり、リン化合物（燐酸エステル可塑剤を除く）を含有しないことを特徴とする塩素化塩化ビニル樹脂組成物（WO2013/080563）等が挙げられる。
【００１７】
非熱膨張性耐火材、膨張性耐火材、又は非熱膨張性耐火材と膨張性耐火材の両方から構成された基端部６は、熱膨張性部分４の第１部分４ａから離間して第２部分４ｂの長手方向における２つの位置から延びる２対の延出部、すなわち第２部分４ｂからタイト材１の幅方向に延びる一対の延出部６ａ，６ｂと、延出部６ａ，６ｂよりも基端側で延出部６ａ，６ｂから離間して延出部６ａ，６ｂと平行に延びる一対の延出部６ｃ，６ｄとを備えている。本実施形態では、延出部６ａ，６ｂの端から端までの長さと延出部６ｃ，６ｄの端から端までの長さは同じＬ5であり、基端２ｂの幅方向の長さ及び第１部分４ａの幅方向の長さＬ3よりも小さいが、延出部６ａ，６ｂの端から端までの長さと延出部６ｃ，６ｄの端から端までの長さは異なっていてもよく、また、延出部６ａ，６ｂ，６ｃ，６ｄの長さは、基端２ｂの幅方向の長さ及び第１部分４ａの幅方向の長さＬ3と同じであってもよい。
【００１８】
本実施形態では第２部分４ｂと延出部６ｃ，６ｄは基端において面一となっている。基端部６が非熱膨張性耐火材から構成される場合、基端部６を構成する非熱膨張性耐火材は、先端部２を構成する上述の非熱膨張性耐火材と同じであっても異なっていてもよく、基端部６を構成する非熱膨張性耐火材の例は先端部２について上述した構成されたものと同じである。また、基端部６が熱膨張性耐火材から構成される場合、基端部６を構成する熱膨張性耐火材は、熱膨張性部分４を構成する熱膨張材料と同じであっても異なっていてもよく、基端部６を構成する熱膨張性耐火材の例は熱膨張性部分４について上述した構成されたものと同じである。
【００１９】
図２は、図１の本発明のタイト材１を取り付けた防火戸の例を示す略図である。防火戸１０は、取っ手１４を有する可動部材としてのドア１２と、ドア１２を包囲する四方に延びる枠２０とを備える。枠２０は上枠２１、下枠２２、右枠２３、及び左枠２４から構成され、左枠２４の長手方向に沿って左枠２４とドア１２を接続する複数（図面では３個）のヒンジ３０が設けられることで、取っ手１４を半時計周り（左回り）に回すとヒンジ３０を中心にドア１２が開くよう構成されている。本発明のタイト材１は、後で詳述するように延出部６ｃ，６ｄが上枠２１、下枠２２、右枠２３、及び左枠２４に設けられた溝に嵌合されることにより、枠２０に沿って四角環状に防火戸１０に取り付けられている。
【００２０】
図３を参照すると、ドア１２と、枠２０の下枠２２に溝２６が形成され、溝２６はドア１２と枠２０の間の開口部又は間隙と連続する第１溝部２６ａと、ドア１２と枠２０の間の該開口部又は間隙とは反対側に第１溝部２６ａから連続して第１溝部２６ａよりも図面上下に広い空間に延びる第２溝部２６ｂとを備えている。第１溝部２６ａ及び第２溝部２６ｂは下枠２２の長手方向のほぼ全長に沿って延びている。下枠２２は断面Ｌ字形で、垂直方向延出部分２２ａと水平方向延出部分２２ｂとからなる。タイト材１は、一対の延出部６ｃ，６ｄが第１溝部２６ａを区画形成する下枠２２の縁部２２ｃを通過して第２溝部２６ｂに嵌合されることにより、枠２０に取り付けられている。また、下枠２２の縁部２２ｃは延出部６ａと６ｃの間及び延出部６ｂと延出部６ｄの間に挟まれているため、タイト材１は枠２０に対し抜け出しにくいよう堅固に固定される。つまり本実施形態では、第１溝部２６ａの上下方向の長さＳ1が第２溝部２６ｂの上下方向の長さＳ2よりも短く、第２溝部２６ｂの上下方向の長さＳ2が延出部６ｃ，６ｄの端から端までの長さかそれよりも大きく、第２溝部２６ｂは延出部６ｃ，６ｄを収容するのに十分な寸法を有し、延出部６ａ，６ｂの端から端までの長さは第１溝部２６ａの上下方向の長さＳ1よりも大きく、かつ延出部６ａ，６ｂと延出部６ｃ，６ｄとの間の距離は、下枠２２の縁部２２ｃの厚みＳ3と同じかそれよりも大きい。
【００２１】
タイト材１の先端部２の先端２ａはドア１２を閉めた状態ではドア１２と接触し、ドア１２と枠２０の間の該開口部又は間隙の密封が可能となっている。先端部２の先端２ａは曲線状に丸められているため、ドア１２と当接した場合の衝撃が分散され、ドア１２を繰り返し開閉した場合の衝撃に対する耐久性に優れている。また、タイト材１の先端部２と熱膨張性部分４は下枠２２の水平方向延出部分２２ｂで接触しており、タイト材１は枠２０に対してより安定に固定され、ドア１２と枠２０の間の該開口部又は間隙の密封性も高められる。
【００２２】
タイト材１は上枠２１にも取り付けられているが、タイト材１の上枠２１への取り付け構造は下枠２２への取り付け構造と同一のため省略する。
【００２３】
防火戸１０は任意の公知の扉の構成であってよく、例えば、建設省告示第１３６９号の基準を持たすドアとしては（１）骨組みを鉄製としドアの両面に厚さが０．５ｍｍ以上の鉄板を張ったもの、又は（２）鉄製で厚さが１．５ｍｍ以上のもののいずれかであり、上記告示に適合しないもののとしては、たとえばドア芯材をハニカム形状の紙製の芯材等で構成する場合がある。
【００２４】
理論に束縛されることを好まないが、火災時、ドアは加熱面と非加熱面との線膨張の違いから、加熱面側へ大きく反るが、本発明のタイト材１を用いた場合、火災時に熱膨張性部分４が熱で膨張し、ドア１２と枠２０の間の開口部又は間隙を閉塞しつつ火災時のドアの変形又は反りに熱膨張性部分４が追従するため、ドアの変形又は反りが小さく抑えられると考えられる。よって、ドアの高さを大きくしたり、及び／又はドアの厚みを小さくしたりすることが可能である。例えば、ドアの高さは通常２,２００ｍｍ程度であるが、これを２，３００ｍｍ以上、さらには２，４００ｍｍ以上とすることが可能である。また、ドアの厚さは通常４０ｍｍ程度であるが、これを３５ｍｍ以下、さらには３０ｍｍ以下とすることが可能である。このようなドアの仕様にしても、良好な耐火性が維持される。また、ドアの変形又は反りが小さく抑えられるため、ドアに対するヒンジの取り付け数も減少させる（例えば３箇所から２箇所に）ことが可能である。
【００２５】
本発明のタイト材１の製造方法は特に限定されず、例えば、共押出成形により非熱膨張性耐火材から構成された先端部２、熱膨張性部分４、及び非熱膨張性耐火材から構成された基端部６を一体として成形することによって製造させてもよい。先端部２と基端部６が同じ非熱膨張性耐火材料から構成される場合、二色成形により構成され得る。共押出成形の場合、先端部２、熱膨張性部分４、及び基端部６の各々の材料である組成物の溶剤を各タンクに充填し、各タンクから送り出した該溶剤を共押出し成形機の型で一体成形し、冷却し、加工機で切断加工し、押出し成形物としてタイト材１を得る。別の実施形態として、本発明のタイト材１は、先端部２、熱膨張性部分４、及び基端部６の各々を別々に製造し、接着等により組み合わせることで製造することも可能である。
【００２６】
本発明は、可動部材と該可動部材を包囲する枠とを備えた建具の密封及び防火構造であって、可動部材と該可動部材を包囲する枠とを備えた建具と、建具の可動部材又は枠に取り付けられた上記の本発明のタイト材とを備えた建具の密封及び防火構造も包含する。
【００２７】
ここまで、本発明を第１を例にとって説明してきたが、本発明はこれに限られず、以下のような種々の変形が可能である。
【００２８】
・上記第１実施形態では、タイト材１の延出部６ｃ，６ｄが枠２０に設けられた溝２６の第２溝部２６ｂに嵌合されているが、図４に示されるように、タイト材の延出部６ａ，６ｂもさらに溝２６に嵌合されてもよい。この場合、例えばタイト材の延出部６ａ，６ｂ及び延出部６ｃ，６ｄの２対の延出部がいずれも溝２６の第２溝部２６ｂに嵌合し、タイト材１の延出部６ａ，６ｂが先端側で第１溝部２６ａを区画形成する下枠２２の縁部２２ｃの基端に当接し、熱膨張性部分４の第１部分４ａが下枠２２の縁部２２ｃの先端に当接することにより、タイト材１は下枠２２に対して堅固に固定される。なお、このタイト材１の下枠２２への取り付けは、上枠２１、右枠２３、及び左枠２４にも適用可能である。
【００２９】
・タイト材１の延出部６ａ−６ｄの数は二対に特に限定されず、一対又は複数の対の  延出部であってもよい。
・上記第１実施形態では、タイト材の中心に熱膨張性部分４が配置されていたが、図５に示されるように、第１実施形態の熱膨張性部分４を、先端部２と同じ非熱膨張性耐火材から、先端部２と一体的に形成し、熱膨張性部分４を基端部６の基端側に設けてもよい。この場合も、熱膨張性部分４は溝２６に嵌合されるため、観察者から見たタイト材１が意匠性を損なうことはなく、タイト材１が可動部材と別の可動部材との間の開口部又は可動部材と枠との間の開口部に配置されて密封及び防火構造を構成し得る。
【００３０】
・上記第１実施形態では、熱膨張性部分４が配置されていたが、第１部分４ａと、第１部分４ａの中心から垂直に基端部６に接続するように延びる第２部分４ｂとを備えていたが、図６に示すように、第１部分４ａを先端部２と同じ非熱膨張性耐火材から先端部２と一体的に形成し、熱膨張性部分４をタイト材２の長手方向に延びる第２部分４ｂから構成されるようにしてもよい。
【００３１】
・図７及び図８に示されるように、第１実施形態の熱膨張性部分４の部分を、先端部２と同じ非熱膨張性耐火材から先端部２と一体的に形成し、代わりに熱膨張性部分４を基端部６の幅方向の片側又は両側から延びるようにしてもよい。この場合も、熱膨張性部分４は溝２６に嵌合されるため、観察者から見たタイト材１が意匠性を損なうことはなく、タイト材１が可動部材と別の可動部材との間の開口部又は可動部材と枠との間の開口部に配置されて密封及び防火構造を構成し得る。
・上記第１実施形態では、タイト材１の先端部２の断面が略半円形であるが、建具の開口部又は間隙の密封性及び防火性を付与できれば先端部２は任意の他の形状であってもよい。また、図８に示されるように、先端部２は内部に空間を有さず、中実であってもよい。
【００３２】
・タイト材１の基端部６が、建具の可動部材に取り付けられて、タイト材１が、該可動部材と別の可動部材との間の開口部又は可動部材と枠との間の開口部に配置されてもよいし、基端部６が建具の枠に取り付けられて、タイト材１が、可動部材と枠との間の開口部に配置されてもよい。建具は、防火戸１０に限られず窓、障子、扉（すなわちドア）、戸、ふすま、及び欄間等を初めとする任意の建具であってもよい。
【００３３】
例えば本発明のタイト材を、内障子及び外障子と、それに対する枠とを備えた引違い窓に適用する場合、タイト材を内障子及び外障子の召し合わせ框に設けられた溝や、内障子及び／又は外障子の枠に対向する部分に設けられた溝と枠に設けられた溝に取り付けて、内障子及び外障子同士の隙間や、内障子及び／又は外障子と枠との間の開口部又は隙間の気密性を高め、また、火災時に内障子及び外障子同士の隙間や、内障子及び／又は外障子と枠との間の開口部又は隙間への火災や煙の侵入を低減又は防止することが可能である。
【００３４】
本明細書中に引用されているすべての特許出願および文献の開示は、それらの全体が参照により本明細書に組み込まれるものとする。
【００３５】
以下に実施例を挙げて本発明をより具体的に説明するが、本発明はこれらに限定されない。
【実施例】
【００３６】
評価方法１
実施例１
鉄製扉（高さ２５００ｍｍ×幅８５０ｍｍ、扉厚さ４０ｍｍ、扉芯材  紙製ハニカム構造（１．２ｋｇ/ｍ2）、芯材の両面の鉄板の厚さ各０．６ｍｍ）に、本発明の第１実施形態のタイト材１と同一形状のタイト材を扉の枠に取り付けた。タイト材の幅方向の長さＬ1は２０ｍｍ、長手方向の長さＬ2は２５ｍｍとし、膨張性部分４の第１部分４ａのタイト材長手方向における厚みを３ｍｍとした。非膨張性の先端部２及び基端部６は軟質塩化ビニル、膨張性部分４は熱膨張性黒鉛含有軟質塩化ビニルより共押出成形により形成した。
実施例２
鉄製扉（高さ２４００ｍｍ×幅８５０ｍｍ、扉厚さ３０ｍｍ、扉芯材  紙製ハニカム構造（１．２ｋｇ/ｍ2）、芯材の両面の鉄板の厚さ各０．６ｍｍ）に、実施例１と同じタイト材を取り付けた。
比較例１
鉄製扉（高さ２５００ｍｍ×幅８５０ｍｍ、扉厚さ４０ｍｍ、扉芯材  紙製ハニカム構造（１．２ｋｇ/ｍ2）、芯材の両面の鉄板の厚さ各０．６ｍｍ）に、本発明の第１実施形態のタイト材１と同一形状及び寸法であって、タイト材全体がクロロプレンゴムから形成されたタイト材を扉の枠に取り付けた。
比較例２
鉄製扉（高さ２４００ｍｍ×幅８５０ｍｍ、扉厚さ３０ｍｍ、扉芯材  紙製ハニカム構造（１．２ｋｇ/ｍ2）、芯材の両面の鉄板の厚さ各０．６ｍｍ）に、比較例１と同じタイト材を取り付けた。
耐火試験
実施例１，２及び比較例１，２のタイト材を取り付けた扉の両面において、ＩＳＯ８３４曲線に準拠した６０分間の加熱試験をそれぞれ実施した。６０分間で下記の１．〜３．の３つすべての判定に適合したものを○（合格）とした。
１．加熱裏面側において１０秒以上の継続した発炎がない
２．加熱裏面側へ１０秒以上の継続した火炎の噴出がない
３．亀裂あるいは損傷、隙間などが発生しない
結果は以下に示す通りである。実施例１，２では扉の屋外側及び屋内側のいずれの加熱試験でも６０分間後に扉は耐火合格基準を満たした。比較例１では屋外側及び屋内側のいずれの試験でも途中で火炎が噴出し、比較例２では屋内側の試験で火炎が噴出し、耐火合格基準を満たさなかった。
【００３７】
【表１】
2015135046.tif 000003
評価方法２
高さ１１００ｍｍ×幅１７００ｍｍのアルミニウム製引き違い窓を用いた。引き違い窓の各窓ガラスは、屋外側に厚さ６．８ｍｍの網入り板ガラス及び屋内側に厚４ミリのフロート板ガラスからなり、両板ガラスの間に９ミリの空気層が存在する複層ガラスから構成され、その枠および障子に市販の非防火の気密用タイト材が挿入されている。市販の気密用のタイト材を、全周あるいは一部、本発明の第１実施形態のタイト材に置き換えた。
実施例３
本発明の一体押出成型したタイト材を全周、非防火の気密用タイト材が挿入されている部分に用いた。
実施例４
本発明の一体押出成型したタイト材を枠と障子の縦の部分の非防火の気密用タイト材が挿入されている部分に用いた。
耐火試験
上記の引き違い窓にてＩＳＯ８３４に準拠した２０分間の加熱試験を実施し、２０分間で下記判定１．〜３．のすべてに適合したものを○（合格）とした。
１．加熱裏面側において１０秒以上の継続した発炎がない
２．加熱裏面側へ１０秒以上の継続した火炎の噴出がない
３．亀裂あるいは損傷、隙間などが発生しない
結果は以下に示す通りである。実施例３，４ではいずれの加熱験でも試験結果は良好であった。
【表２】
2015135046.tif 000004
【符号の説明】
【００３８】
１，１ａ，１ｂ，１ｃ，１ｄ，１ｅ・・・タイト材、２・・・先端部、４・・・熱膨張性部分、４ａ・・・熱膨張性部分の第１部分、４ｂ・・・熱膨張性部分の第２部分、６・・・基端部、６ａ，６ｂ，６ｃ，６ｄ・・・延出部、１０・・・建具としての防火戸、１２・・・可動部材としてのドア、２０・・・枠。
【図１】
2015135046.tif 000005
【図２】
2015135046.tif 000006
【図３】
2015135046.tif 000007
【図４】
2015135046.tif 000008
【図５】
2015135046.tif 000009
【図６】
2015135046.tif 000010
【図７】
2015135046.tif 000011
【図８】
2015135046.tif 000012